(57)【要約】【課題】  装着者の人手を煩わせることなく靴カバーを自動的に装着するができるものとする。【解決手段】  ２本の昇降ガイドポール１３１が間隔を開け立設された基板１３０と、前記昇降ガイドポール１３１が両端部に係合され、該昇降ガイドポール１３１に沿って昇降可能な踏み板１４０と、開口部に環状ゴム帯１３を備えた靴カバー１０を開口部１１が拡開した状態で複数枚保持可能な靴カバー保持手段１６０と、前記踏み板の昇降動に連動して、前記踏み板１４０の動きを伝導するリンク機構１５０と、前記リンク機構１５０に結合され前記踏み板１４０の踏み下げ動作により、前記靴カバー保持手段１６０に保持された１枚の靴カバーの保持を解除する靴カバー解除機構１７０とを備え、踏み板１４０の踏み下げで靴カバー１０を靴１に自動的に装着する。 【選択図】        図１
2006094990.tif 000002
【特許請求の範囲】
【請求項１】
靴の外表部及び靴底部を覆う袋状被覆部と、着用された靴が靴底側から挿入可能な開口部と、前記開口部の周囲に設けられ、常時開口を縮閉状態とし、開口を弾性的に拡開状態とできる環状弾性体とを備えた靴カバーにおいて、
前記環状弾性体には複数個所に取り付けられた係止部材を備え、該係止部材をそれぞれ位置保持することにより前記開口を拡開状態にできることを特徴とする靴カバー。
【請求項２】
前記係止部材には、位置保持用の孔部が形成されていることを特徴とする請求項１の靴カバー。
【請求項３】
前記靴カバーは係止部材の孔部を係止部材に挿入して複数を積み重ね配置できることを特徴とする請求項２の靴カバー。
【請求項４】
基台と、前記基台上に上下方向に移動可能に配置された踏み板と、開口部に環状弾性体を備えた靴カバーを開口部が拡開した状態で保持する靴カバー保持手段と、前記踏み板を踏下げることにより、前記靴カバー保持手段に保持された靴カバーの拡開状態での保持を解除する靴カバー解除手段とを備え、踏み下げた靴を保持された靴カバーで覆うことを特徴とする靴カバー装着装置。
【請求項５】
前記踏み板と、前記靴カバー解除手段とはリンク機構で接続されていることを特徴とする請求項４の靴カバー装着装置。
【請求項６】
前記靴カバー保持手段は、複数の靴カバーを保持することを特徴とする請求項４ないし５のいずれかの靴カバー装着装置。
【請求項７】
前記基台と、靴カバー保持手段と、前記靴カバー解除手段を覆うと共に着用された靴を靴底側から靴カバー開口部に挿入できる開口部を備えたカバー部材で覆われていることを特徴とする請求項４ないし６のいずれかの靴カバー装着装置。
【請求項８】
２本の昇降ガイドポールが間隔を開け立設された基板と、
前記昇降ガイドポールが両端部に係合され、該昇降ガイドポールに沿って昇降可能な踏み板と、
開口部に環状弾性体を備えた靴カバーを開口部が拡開した状態で複数枚保持可能な靴カバー保持手段と、
前記踏み板の昇降動に連動して、前記踏み板の動きを伝えるリンク機構と、
前記リンク機構に連結され前記踏み板の踏み下げ動作により前記靴カバー保持手段に保持された１枚の靴カバーの保持を解除する靴カバー解除機構と、を備えたことを特徴とする靴カバー装着装置。
【請求項９】
請求項１ないし３のいずれかの靴カバーを靴カバー保持手段に保持可能なことを特徴とする請求項４ないし８のいずれかの靴カバー装着装置。
【発明の詳細な説明】
【技術分野】
【０００１】
本発明は、靴カバー及び靴カバー装着装置に係り、特に靴の外表部及び靴底部を覆う袋状被覆部と、着用された靴が靴底側から挿入可能な開口部と、前記開口部の周囲に設けられ、常時開口を縮閉状態とし、開口を弾性的に拡開状態にできる環状弾性体とを備えた靴カバー及びこのような靴カバーを人に着用された靴に自動的に装着する靴カバー装着装置に関する。
【背景技術】
【０００２】
医療事業所、精密機械製造事業所、半導体製造事業所、食品製造事業所では、外部からの汚染を防ぐために、保護用の着用品を着用することが必要な場合がある。
【０００３】
このような事業所においては、常時当該事業所に出入りする者には、当該事業所内専用の履物を使用することで、外部からの汚染物質の進入を防止することができる。また、当該事業所に一時的に入る者には、着用している靴に使い捨ての靴カバーを装着させ、靴に付着している汚染物質が事業所内に進入するのを防止することがある。
【０００４】
上述した靴カバーとして、靴の外表部及び靴底部を覆う合成樹脂薄膜製の袋状被覆部と、着用された靴が靴底側から挿入可能な開口部と、前記開口部の周囲に設けられ、常時開口を縮閉状態とし、開口を弾性的に拡開状態とできる環状弾性体としてゴムリングを備えたものがある。
【０００５】
特許文献１には、このような靴カバーについての記載がある。特許文献１には、この靴カバー全体は、積層材料素材形成され、着用者の足の上に靴カバーを取り付けることを可能にする開口を有しており、開口は、その一部が縁バインダで形成され、また、開口には、着用者の足上に靴カバーを保持しておくための弾性材料からなるストリップを設けるのが好ましいとの記載がある。
【０００６】
【特許文献１】特表２００２―５１５９５０号公報参照
【発明の開示】
【発明が解決しようとする課題】
【０００７】
しかしながら、上述した靴カバーは、いちいち装着者自身で靴に被せて取り付ける必要があり、この作業に手間がかかることとなる。本発明は、上述した従来の問題点に鑑みなされたものであり、装着者の人手を煩わせることなく靴カバーを自動的に装着するができるものとすることを課題とする。
【課題を解決するための手段】
【０００８】
請求項１の発明は、靴の外表部及び靴底部を覆う袋状被覆部と、着用された靴が靴底側から挿入可能な開口部と、前記開口部の周囲に設けられ、常時開口を縮閉状態とし、開口を弾性的に拡開状態とできる環状弾性体とを備えた靴カバーにおいて、前記環状弾性体には複数個所に取り付けられた係止部材を備え、該係止部材をそれぞれ位置保持することにより前記開口を拡開状態にできる靴カバーである。
【０００９】
請求項２の発明は、靴カバーにおいて、前記係止部材には、位置保持用の孔部が形成されていることを特徴とする請求項１のである。
【００１０】
請求項３の発明は、靴カバーにおいて、前記靴カバーは係止部材の孔部を係止部材に挿入して複数を積み重ね配置できることを特徴とする請求項２のである。
【００１１】
請求項４の発明は、基台と、前記基台上に上下方向に移動可能に配置された踏み板と、開口部に環状弾性体を備えた靴カバーを開口部が拡開した状態で保持する靴カバー保持手段と、前記踏み板を踏下げることにより、前記靴カバー保持手段に保持された靴カバーの拡開状態での保持を解除する靴カバー解除手段とを備え、踏み下げた靴を保持された靴カバーで覆う、靴カバー装着装置。
【００１２】
請求項５の発明は、靴カバー装着装置において、前記踏み板と、前記靴カバー解除手段とはリンク機構で接続されていることを特徴とする請求項４のである。
【００１３】
請求項６の発明は、靴カバー装着装置において、前記靴カバー保持手段は、複数の靴カバーを保持することを特徴とする請求項４ないし６のいずれかのである。
【００１４】
請求項７の発明は、請求項の靴カバー装着装置において、前記基台と、靴カバー保持手段と、前記靴カバー解除手段を覆うと共に着用された靴を靴底側から靴カバー開口部に挿入できる開口部を備えたカバー部材で覆われている。
【００１５】
請求項８の発明は、２本の昇降ガイドポールが間隔を開け立設された基板と、前記昇降ガイドポールが両端部に係合され、該昇降ガイドポールに沿って昇降可能な踏み板と、開口部に環状弾性体を備えた靴カバーを開口部が拡開した状態で複数枚保持可能な靴カバー保持手段と、前記踏み板の昇降動に連動して、前記踏み板の動きを伝導するリンク機構と、前記リンク機構に結合され前記踏み板の踏み下げ動作により、前記靴カバー保持手段に保持された１枚の靴カバーの保持を解除する靴カバー解除機構と、を備えた靴カバー装着装置である。
【００１６】
請求項９の発明は、請求項４ないし８のいずれかの靴カバー装着装置において、請求項１ないし３のいずれかの靴カバーを靴カバー保持手段に保持可能なことを特徴とする。
【発明の効果】
【００１７】
請求項１の靴カバーによれば、係止部材をそれぞれ位置保持することにより開口部を拡開状態にでき、着用された状態で靴を靴底側から挿入し、開口部を縮閉状態とするだけで着用された靴に靴カバーを容易に装着することができる。
【００１８】
請求項２の靴カバーによれば、前記係止部材を孔部において係止部材に位置保持することにより、靴カバーの開口を拡開状態に保持して靴カバー装着装置に保持することができるため、靴カバー装着装置に使用することが好適となる。
【００１９】
請求項３の靴カバーによれば、靴カバーを複数積み重ねて配置することができ、連続して靴カバーの装着ができ、靴カバー装着装置に使用することが好適となる。
【００２０】
請求項４の靴カバー装着装置によれば、靴カバー保持手段に靴カバーを装着した状態で、着用した靴で踏み板を踏み下げるだけで靴カバー解除手段が駆動され、容易に靴に靴カバーを装着することができる。
【００２１】
請求項５の靴カバー装着装置によれば、踏み板と靴カバー解除手段とはリンク機構で接続されているため、他の動力原を使用することなく踏み板を踏み下げる動作だけで靴カバーを靴に装着することができる。
【００２２】
請求項６の靴カバー装着装置によれば、靴カバー保持手段は、複数の靴カバーを保持しているから、連続して靴カバーを靴に装着することができる。
【００２３】
請求項７の靴カバー装着装置によれば、靴カバー装着装置はカバー部材で覆われているから、靴カバー機構部が露出せず、開口部に靴を踏み入れ踏み下げるだけで靴カバーを靴に装着することができる。
【００２４】
請求項８の靴カバー装着装置によれば、靴カバー保持手段に靴カバーを装着した状態で、着用した靴で踏み板を踏み下げると、踏み板はガイドポールに沿って踏み下げられ、この踏み板の動きがリンク機構で靴カバー保持手段に伝達され、靴カバー解除機構は靴カバー保持手段に保持された１枚の靴カバーの保持を解除し、靴カバー内に靴が挿入された状態で靴カバーの開口が自動的に縮閉し、靴カバーで靴を覆う状態になるから、容易に靴に靴カバーを装着することができる。
【００２５】
請求項９の靴カバー装着装置によれば、請求項１ないし３のいずれかの靴カバーを装着することができるので、靴カバー保持手段に靴カバーを装着した状態で、着用した靴で踏み板を踏み下げるだけで靴カバー解除手段が駆動され、靴カバー内に靴が挿入された状態で靴カバーの開口が自動的に縮閉し、靴カバーで靴を覆う状態になり、容易に靴に靴カバーを装着することができる。
【発明を実施するための最良の形態】
【００２６】
以下本発明に係る靴カバー及び靴カバー装着装置の実施の形態について説明する。図１は本発明に係る靴カバー装着装置を示す正面図、図２は本発明に係る靴カバー装着装置を示す平面図、図３は本発明に係る靴カバー装着装置の構成を示す斜視図、図４は本発明に係る靴カバー装着装置の使用状態を示す正面図、図５は本発明に係る靴カバー装着装置の使用状態を示す正面図、図６は本発明に係る靴カバーを示す平面図、図７は本発明に係る靴カバーを示す正面図、図８は本発明に係る靴カバーの装着状態を示す正面図である。
【００２７】
本例に係る靴カバー装着装置１００では、図６ないし図８に示す靴カバー１０を使用する。この靴カバー１０は、開口部１１を備え、靴１を覆う袋状被覆部１２と、この袋状被覆部１２の開口部１１の周縁に配置された環状弾性体である環状ゴム帯１３、この環状ゴム帯１３に所定間隔を開けて４個所に設けられた係止部材１４とからなる。
【００２８】
袋状被覆部１２は、柔軟な合成樹脂シート材で形成されており、自由に折り畳んで全体を薄い状態にできる。また、開口部１１は、着用された靴１が靴底部２側から挿入可能に形成されている。環状ゴム帯１３は、前記開口部１１の周囲に開口部１１周縁を折り返して被せ溶着して形成した環状空間部１７内に設けられ、常時は開口部１１を縮閉状態（図８に示したの状態）とし、環状ゴム帯１３を拡開した状態で開口部１１を弾性的に拡開状態（図６の状態）とにする。
【００２９】
また、前記係止部材１４は靴カバー装着装置１００に係止される係止孔１５と、前記環状ゴム帯１３が取り付けられるゴム帯形成孔１６とが開設されている。
【００３０】
また、本例に係る靴カバー１０は、図２に示したように、係止部材１４を靴カバー装着装置１００に引っ掛けた状態で、袋状被覆部１２を薄く折り縮め、複数枚前記係止部材１４を前記係止部材に引っ掛けた状態で複数を保持することができる。
【００３１】
次に本実施の形態に係る靴カバー装着装置について説明する。図１ないし図３に示すように、本例に係る靴カバー装着装置１００はカバー１１０と、機構部１２０とからなる。カバー１１０は機構部１２０の外周を覆う合成樹脂部材で、ボックス型の下側部１１１と、この下側部に被されるボックス型の上側部１１２とからなる。なお、上側部１１２の上壁１１３には靴挿入用の孔部１１４か開設されている。ここで、図１、図２は部材を模式的に示しているため、必ずしも各図間で部材の大きさが一致していないが、その機構の動作は同一のものである。
【００３２】
機構部１２０は２本の昇降ガイドポール１３１、１３１が間隔を開け立設された基板１３０と、前記昇降ガイドポール１３１、１３１が両端部に係合され、該昇降ガイドポールに沿って昇降可能な１枚の踏み板１４０と、前記靴カバー１０を開口部が拡開した状態で複数枚保持可能な４つの靴カバー保持手段１６０と、前記踏み板１４０の昇降動に連動して、前記踏み板の動きを前記靴カバー保持手段に伝える４つのリンク機構１５０と、前記リンク機構１５０の動きにより前記靴カバー保持手段に保持された１枚の靴カバーの保持を解除する４つの靴カバー解除機構１７０を備えてなる。また、機構部１２０は下側部１１１と上側部１１２とからなる合成樹脂製のカバー１１０で覆われている。
【００３３】
本例では、基板１３０は鋼板で構成され、平行に配置された２枚の長尺フレーム部材１３５、１３５とこの長尺フレーム部材１３５、１３５の両端を接続する接続フレーム部材１３６とで構成され、カバー１１０の下側部１１１に固定されている。また長尺フレーム部材１３５、１３５の長手方向の中央部には、上記昇降ガイドポール１３１、１３１が固定立設されている。
【００３４】
また、両接続フレーム部材１３６の長手方向の両端には、前記リンク機構１５０のリンク部材を回動自在に支持する支持部材１３２が固着されている。この支持部材１３２には、前記靴カバー保持手段１６０と靴カバー解除機構１７０を回転自在に保持するピン１３４を備える保持板１３３が立設されている。
【００３５】
本例では、両長尺フレーム部材１３５、１３５の最外側縁に端縁部には立設部１３７が形成されている。
【００３６】
また、本例では、リンク機構１５０は、前記各長尺フレーム部材１３５、１３５に２つずつ設けられ、両側で４組配置される。各リンク機構１５０は、踏み板１４０のピン１４１に一端が長孔１５１ｂで遊嵌され、その屈曲部１５１ａで上記ピン１３４に回動自在に保持され、多端にピン１５２を設けたＬ型リンク部材１５１と、このＬ型リンク部材１５１のピン１５２に一端を回動自在に保持され、他端にピン１５４を形成したＩ型リンク部材１５３とを備える。また両フレーム部材に設けられた２つのＩ型リンク部材間にはＩ型リンク部材のピン１５４に両端を回動自在に連結され、靴カバー解除機構１７０の一部をなす２つの接続フレーム部材１３６を結ぶ平面コ字状の解除バー１７１が接続されている。
【００３７】
本例では、靴カバー保持手段１６０は、前記各長尺フレーム部材１３５、１３５に２つずつ設けられ、両側で４組配置される。この靴カバー保持手段１６０は、湾曲してＬ字状をなし、その腕の一端に形成された取付部１６４で上記接続フレーム部材１３６に固着されたスプリングアーム１６１と、この１６１の外側を覆って配置され、常時スプリングアーム１６１に配置された靴カバー１０の係止部材１４を上側に押し出す第１のコイルスプリング１６２とを備えてなる。なお、前記スプリングアーム１６１の立設部には靴カバー１０の係止部材１４が装着され、靴カバー１０の４つの係止部材１４を基板１３０の四隅に設けられたスプリングアーム１６１に取り付けることにより、靴カバー１０の開口部１１は拡開状態となる。また、前記第１のコイルスプリング１６２は前記スプリングアーム１６１の形状にならって湾曲した状態で保持されている。
【００３８】
さらに、本例では、靴カバー解除機構１７０は、前記各長尺フレーム部材１３５、１３５に２つずつ設けられ、両側で４組配置される。この靴カバー解除機構１７０は、上述した解除バー１７１と、前記長尺フレーム部材１３５に靴カバー１０の取付時外側に向けに回動可能に取り付けられたプッシュアーム１７２と、前記長尺フレーム部材１３５の端部に立設部１３７に対向して設けられる立設板部１７５と、立設板部１７５と立設部１３７との間に架設された棒状部材１７３と、この棒状部材１７３の外側を覆って配置され、常時上記解除バー１７１を外側に押し出す第２のコイルスプリング１７４とを備えてなる。そして、上記解除バー１７１は、前記靴カバー保持手段１６０に保持された靴カバー１０の係止部材１４を押し出すプッシュアーム１７２に接触しており、踏み板１４０の踏み下げにより、前記第２のコイルスプリング１７４とプッシュアーム１７２との間に保持された係止部材１４を１枚だけ押し出す。
【００３９】
次に本例に係る靴カバー装着装置１００の作動について説明する。まず、靴カバー装着装置１００のカバー１１０の上側部１１２を下側部１１１から外し、靴カバー保持手段１６０に靴カバー１０を所定設置する。このときスプリングアーム１６１を専用ジグで垂直下方向に押し、図示していないスプリングアーム仮止金具を引っ掛けて仮止めする。次にプッシュアーム１７２を外側に拡開させ、スプリングアーム１６１の先端から離す。そして、所定数の靴カバー１０の係止部材１４をスプリングアーム１６１の先端から通し保持する。この係止部材１４の保持は４個所のスプリングアーム１６１について行う。この状態で靴カバー１０の開口部１１は拡開状態となり、そして、プッシュアーム１７２の位置を元の位置に戻し、スプリングアーム１６１の仮止金具を外しし、第２のコイルスプリング１７４とプッシュアーム１７２との間で所定数の係止部材１４を保持する。
【００４０】
次に着用した靴１に靴カバー１０を装着する動作について図４及び図５に基づいて説明する。上述したように、靴カバー装着装置１００に靴カバー１０を装着した状態において、踏み板１４０を使用者は着用した靴下方向へ押さえると、リンク機構１５０を構成するＬ型リンク部材１５１、Ｉ型リンク部材１５３により、靴カバー解除機構１７０を構成する解除バー１７１、及びプッシュアーム１７２が内側に向け引っ張られる。
【００４１】
このプッシュアーム１７２作動により、プッシュアーム１７２とスプリングアーム１６１との間に装着されている靴カバー１０の係止部材１４をプッシュアーム１７２が一つずつ押し出す。
【００４２】
この動作により、靴カバー１０の環状ゴム帯１３は収縮し、開口部１１が縮閉して靴１に靴カバー１０が装着される。靴１にカバーが装着された後、靴１を踏み上げると、機構部１２０は初期状態となり、次の靴カバー１０を装着可能な状態となる。
【００４３】
以上説明したように本例に係る靴カバー及び靴カバー装着装置によれば、使用者が靴カバー装着装置内の踏み板を着用した靴で踏み下げるだけで靴に靴カバーを装着でき、しかも靴カバー装着装置に複数の靴カバーを設置することにより、連続して複数の靴に靴カバーを容易に装着することができる。また、本例に係る靴カバー装着装置は踏み板を踏み下げることにより動作し、電気等の動力源を必要とすることがない。
【００４４】
本例に係る靴カバー並びに靴カバー装着装置は、外部からの汚染を防ぐ医療事業所、精密機械製造事業所、半導体製造事業所、食品製造事業所への用途ばかりでなく、例えば従来靴をぬいで席に上がる飲食店、雨天にどろで汚れた靴でクラブハウスへ入場する必要があるゴルフ場、従来スリッパなどにはきかえて入場していた学校その他の施設、警察等が行う鑑識調査時に用いる用途もある。
【図面の簡単な説明】
【００４５】
【図１】本発明に係る靴カバー装着装置の概略構成を示す正面図である。
【図２】本発明に係る靴カバー装着装置の概略構成を示す平面図である。
【図３】本発明に係る靴カバー装着装置の構成を示す斜視図である。
【図４】本発明に係る靴カバー装着装置の使用状態を示す正面図である
【図５】本発明に係る靴カバー装着装置の使用状態を示す正面図である
【図６】本発明に係る靴カバーを示す平面図である。
【図７】本発明に係る靴カバーを示す正面図である。
【図８】本発明に係る靴カバーの装着状態を示す正面図である。
【符号の説明】
【００４６】
１  靴
２  靴底部
１０  靴カバー
１１  開口部
１２  袋状被覆部
１３  環状ゴム帯
１４  係止部材
１５  係止孔
１６  ゴム帯形成孔
１７  環状空間部
１００  靴カバー装着装置
１１０  カバー
１１１  下側部
１１２  上側部
１１３  上壁
１１４  孔部
１２０  機構部
１３０  基板
１３１  昇降ガイドポール
１３２  支持部材
１３３  保持板
１３４  ピン
１３５  長尺フレーム部材
１３６  接続フレーム部材
１３７  立設部
１４０  板
１４１  ピン
１５０  リンク機構
１５１  Ｌ型リンク部材
１５１ａ  屈曲部
１５１ｂ  長孔
１５２  ピン
１５３  Ｉ型リンク部材
１５４  ピン
１６０  靴カバー保持手段
１６１  スプリングアーム
１６２  第１のコイルスプリング
１６４  取付部
１７０  靴カバー解除機構
１７１  解除バー
１７２  プッシュアーム
１７３  棒状部材
１７４  第２のコイルスプリング
１７５  立設板部
【図１】
2006094990.tif 000003
【図２】
2006094990.tif 000004
【図３】
2006094990.tif 000005
【図４】
2006094990.tif 000006
【図５】
2006094990.tif 000007
【図６】
2006094990.tif 000008
【図７】
2006094990.tif 000009
【図８】
2006094990.tif 000010